(57)【要約】　　　（修正有）【課題】複数の筐体を並列に設置する際に設置に必要なスペースを小さくでき、また、筐体の放熱を妨害することのない複数筐体設置用スタンドを提供する。【解決手段】複数の筐体８１を並列に設置するスタンド５は、外側に配置される筐体８１を外側面側から保持する一対の外側スタンド５１，５１と、これらの外側スタンド５１，５１間に配置され互いに隣接する筐体８１，８１の両方を対向面側から保持する中間スタンド５２と、各スタンド５１，５２を着脱自在に接続する接続手段とを備えている。【選択図】　図１
2004126706.tif 000002
【特許請求の範囲】
【請求項１】
複数の筐体を並列に設置するスタンドであって、
外側に配置される前記筐体を外側面側から保持する一対の外側スタンドと、
前記一対の外側スタンド間に配置され互いに隣接する前記筐体の両方を対向面側から保持する中間スタンドと、
前記各スタンドを着脱自在に接続する接続手段と、を備えたことを特徴とする複数筐体設置用スタンド。
【請求項２】
前記中間スタンドの前記筐体を保持する部分の間隔を、互いに隣接する前記筐体同士が放熱に必要な隙間以上の間隔で設置される間隔としたことを特徴とする請求項１に記載の複数筐体設置用スタンド。
【発明の詳細な説明】
【０００１】
【発明の属する技術分野】
本発明は複数筐体設置用スタンドに係り、特に、コンピュータの周辺機器を縦置きで使用する際に好適なスタンドに関する。
【０００２】
【従来の技術】
コンピュータの周辺機器は、その筐体が略直方体状に形成されていることが多い。また、最近は筐体の薄型化、小型化が進んでいる。このような薄型の筐体を縦置きにして使用する場合、その転倒を防止する必要がある。そのため、筐体の底にスタンドを取り付けるのが一般的である。
【０００３】
図８は、従来のスタンド１を示す。このスタンド１は、コンピュータの周辺機器１０における筐体１１の底部を収容する凹部１２と、この凹部１２の両側から側方に突出する断面が略三角形状の脚部１３，１３とを有している。脚部１３，１３の大きさは、筐体１１に応じて決められている。
【０００４】
複数の周辺機器１０を使用する場合には、図９に示すように、周辺機器１０，１０の筐体１１，１１にスタンド１，１を取り付ける。そして、互いのスタンド１，１を接近させて、筐体１１，１１を並列に配置するのが普通である。
【０００５】
また、図１０は、従来の別のスタンド２を示す。このスタンド２は、周辺機器１０における筐体１１の底面にねじで回転自在に取り付けられた一対のアーム２１，２１を有している。
【０００６】
このスタンド２は、状況に応じてアーム２１，２１を筐体１１に対して出し入れすることができる。例えば、複数の筐体１１を並列に設置する場合は、アーム２１，２１を筐体１１側に収納することにより、筐体１１，１１の間隔を小さくすることができる（例えば、特許文献１参照）。
【０００７】
【特許文献１】
特開平６−３５０２６１号公報
【０００８】
【発明が解決しようとする課題】
しかしながら、従来の上記スタンド１は、複数の筐体１１，１１を並列に設置したときに、設置に必要なスペースが大きくなるという問題があった。これは、スタンド１の脚部１３，１３が筐体１１の側方に大きく突出しているため、筐体１１，１１間の間隔が大きくなるからである。
【０００９】
上述のように、複数の筐体１１を並列に設置する場合、筐体１１，１１の間隔を小さくするため、図１１に示すように、筐体１１からスタンド１を取り外し、筐体１１を直に置くことも考えられる。
【００１０】
しかし、この場合には、筐体１１が転倒するおそれがあるばかりでなく、筐体１１，１１の間隔が小さくなり過ぎて、筐体１１，１１の放熱を妨害するおそれがある。
【００１１】
この問題は、上記スタンド２のアーム２１，２１を筐体１１側に収納して、複数の筐体１１を並列に配置する場合にも発生する。また、このスタンド２は、アーム２１，２１を筐体１１に回転自在に取り付けるので、その構成が複雑になるという問題があった。
【００１２】
本発明は、このような問題に鑑みてなされたもので、複数の筐体を並列に設置する際に設置に必要なスペースを小さくでき、また、筐体の放熱を妨害することのない複数筐体設置用スタンドの提供を課題とする。
【００１３】
【課題を解決するための手段】
本発明は、前記課題を解決するため、以下の手段を採用した。
【００１４】
本発明は、複数の筐体を並列に設置するスタンドであって、外側に配置される前記筐体を外側面側から保持する一対の外側スタンドと、前記一対の外側スタンド間に配置され互いに隣接する前記筐体の両方を対向面側から保持する中間スタンドと、前記各スタンドを着脱自在に接続する接続手段と、を備えている。
【００１５】
このように、本発明は、複数の筐体を一体的に保持するので、スタンドの全体の幅は少なくとも全部の筐体の幅を加算した寸法を有する。そのため、筐体の間隔をできるだけ小さくして、スタンドの全体の幅を小さくできる。
【００１６】
更に、設置すべき筐体の数が変わった場合でも、中間スタンドの使用数を調整することにより、即座に対応できる。
【００１７】
ここで、前記中間スタンドの前記筐体を保持する部分の間隔を、互いに隣接する前記筐体同士が放熱に必要な隙間以上の間隔で設置される間隔とすることができる。この場合には、筐体同士が放熱を妨害するのを防止できる。
【００１８】
【発明の実施の形態】
以下、本発明の実施の形態を添付した図１から図７に基づいて説明する。
【００１９】
本例は、コンピュータの周辺機器であるファミリーネットワークサーバ（ホームサーバ）用のスタンドに、本発明を適用したものである。
【００２０】
図１は、本発明を適用したスタンド５を示す。このスタンド５は、複数のファミリーネットワークサーバ８を縦置きにした状態で並列に設置するものである。各ファミリーネットワークサーバ８の筐体８１は、薄型の略直方体状に形成されている。
【００２１】
スタンド５は、並列に設置される複数の筐体８１，８１のうち、外側に配置される筐体８１，８１の外側面側から保持する一対の外側スタンド５１，５１と、これらの一対の外側スタンド５１，５１間に配置され、互いに隣接する筐体８１，８１を対向面側から保持する中間スタンド５２と、各スタンド５１，５２を接続する接続手段５３（図５参照）とを備えている。
【００２２】
次に、上記各構成要素について説明する。外側スタンド５１は樹脂で成形されている。この外側スタンド５１は、図２に示すように、筐体８１の底部における一部分を収納すべく片側が開放された断面がＬ字状の凹部５５と、この凹部５５の側方に突出する断面が略三角形状の脚部５６とを有している。
【００２３】
また、この外側スタンド５１は、凹部５５の底面５５ａから凹部５５内に突出する止めねじ５８と、中間スタンド５２との接続面５９に形成された係止片６０及び係止孔６１と、上記接続面５９に形成された突起６２及びガイド孔６３とを有している。
【００２４】
上記凹部５５の底面５５ａは、その略半分が比較的広く形成され、残部が狭く形成されている。止めねじ５８は、底面５５ａの広い部分に回転自在に取り付けられている。
【００２５】
上記係止片６０及び係止孔６１は、後述のように上記接続手段５３を構成する。係止片６０は、底面５５ａの広い部分における接続面５９に形成されている。また、係止孔６１は、底面５５ａの狭い部分における接続面５９に形成されている。
【００２６】
上記突起６２及びガイド孔６３は、各スタンド５１，５２を接続したときに嵌合される。これにより、各スタンド５１，５２が横ずれするのを防止する。突起６２は、上記係止孔６１の近傍に形成されている。また、ガイド孔６３は、上記係止片６０の近傍に形成されている。これらの突起６２及びガイド孔６３は、その断面が略円形状に形成されている。
【００２７】
次に、中間スタンド５２について説明する。この中間スタンド５２は、その両側に互いに隣接する筐体８１，８１を対向面側から収容するべく、外側が開放された断面がＬ字状の凹部５５，５５と、これらの凹部５５，５５の間に形成された仕切部６６とを有している。
【００２８】
また、この中間スタンド５２は、凹部５５の底面５５ａから凹部５５内に突出する回転自在な止めねじ５８と、外側スタンド５１との接続面５９に形成された係止片６０及び係止孔６１と、上記接続面５９に形成された突起６２及びガイド孔６３とを有している。
【００２９】
この中間スタンド５２の凹部５５，止めねじ５８，係止片６０，係止孔６１，突起６２及びガイド孔６３は、上記外側スタンド５１と同様なのでその詳細な説明は省略する。
【００３０】
但し、中間スタンド５２における凹部５５の底面５５ａは、中間スタンド５２に接続される外側スタンド５１における凹部５５の底面５５ａと反対の形状に形成されている。これにより、図３に示すように、外側スタンド５１と中間スタンド５２とを隙間なく接続することができる。
【００３１】
なお、外側スタンド５１と中間スタンド５２との間、又は中間スタンド５２を複数接続する場合には、中間スタンド５２同士の間に一部分又は全体的に隙間があってもよい。
【００３２】
なお、上記外側スタンド５１及び中間スタンド５２の底面には、図４に示すように、滑り止め用のゴム板６７が貼り付けられている。また、図４中の符号５８ａは、上記止めねじ５８の頭部である。
【００３３】
次に、外側スタンド５１及び中間スタンド５２を接続する接続手段５３について説明する。なお、接続手段５３は、各スタンド５１，５２の接続面５９の両端側に設けられているが、ここではその一方について説明する。
【００３４】
この接続手段５３は、図５（ａ）に示すように、接続すべき外側スタンド５１と中間スタンド５２のうち、中間スタンド５２の接続面５９に形成された上記係止片６０と、外側スタンド５１の接続面５９に形成された上記係止孔６１とを有している。
【００３５】
このうち、係止片６０は接続面５９から適宜な長さだけ突出している。この係止片６０の断面は略四角形に形成されている。また、係止片６０の先端には、下方に突出する突起６８が形成されている。
【００３６】
上記係止孔６１は、上記係止片６０を挿入可能な大きさに形成されている。また、係止孔６１の底部には、係止片６０の突起６８を係止する係止部６１ａが形成されている。
【００３７】
外側スタンド５１と中間スタンド５２を接続する場合は、図５（ｂ）に示すように、それぞれの接続面５９を対向させる。このとき、中間スタンド５２の凹部５５の底面５５ａを、外側スタンド５１の凹部５５の底面５５ａより少し上にずらしておく。
【００３８】
次に、中間スタンド５２の係止片６０を外側スタンド５１の係止孔６１に挿入する。次に、中間スタンド５２を下方に移動させる。そうすると、係止片６０の突起６８が係止孔６１の係止部６１ａに係止される。
【００３９】
これにより、外側スタンド５１と中間スタンド５２とが隙間なく接続され、不用意に外れることがない。また、各スタンド５１，５２の凹部５５における底面５５ａが同一面となる。
【００４０】
次に、この複数筐体設置用スタンド５の作用を説明する。いま、図６に示すように、２個の筐体８１，８１を並列に設置する場合には、一対の外側スタンド５１，５１の間に一個の中間スタンド５２を接続する。
【００４１】
そうすると、中間スタンド５２の両側の凹部５５，５５が、外側スタンド５１の凹部５５と一体になって、断面がコ字状の収容部６９，６９が形成される。この収容部６９に、筐体８１の底部を収容する。筐体８１の底部は、止めねじ５８によってスタンド５に固定する。
【００４２】
このとき、スタンド５の全体の幅Ｂは、筐体８１の幅ｂの二倍より大きくなり、筐体８１の高さに対して相当大きくなる。従って、筐体８１、８１が転倒するのを確実に防止できる。
【００４３】
また、外側スタンド５１と中間スタンド５２とが筐体８１の底面内で隙間なく接続され、しかも接続部分に段差がないので、筐体８１が安定良く保持される。
【００４４】
更に、上述のように、スタンド５の全体の幅Ｂは少なくとも筐体８１の幅ｂの二倍はあるので、筐体８１の転倒を防止するには充分である。従って、筐体８１，８１の間隔ｗ（仕切部６６の幅）を大きくする必要がなく、この間隔ｗをできるだけ小さくできる。
【００４５】
これにより、スタンド５の全体の幅Ｂを小さくできるので、複数の筐体８１を並列に設置するために必要なスペースを従来より小さくでき、省スペースが可能となる。
【００４６】
また、互いに隣接する筐体８１，８１間に放熱用の隙間をあける必要がある場合には、仕切部６６の幅ｗを両方の筐体８１，８１の放熱に必要な隙間と略同一又はそれ以上とする。これにより、筐体８１，８１間の隙間が一定に維持されるので、何らかの理由で筐体８１，８１間の間隔が小さくなるようなことがなく、各筐体８１が相手の筐体８１の放熱を妨害することはない。
【００４７】
なお、上記実施形態では、二個の筐体８１を並列に設置する場合について説明したが、三個以上の筐体８１を並列に配置する場合には、筐体８１の個数より１個少ない個数の中間スタンド５２を用意する。そして、一対の外側スタンド５１，５１の間に、これらの中間スタンド５２を接続する。
【００４８】
例えば、図７に示すように、三個の筐体８１を並列に設置する場合には、一対の外側スタンド５１，５１の間に二個の中間スタンド５２，５２を接続する。四個以上の筐体８１を並列に設置する場合も同様である。
【００４９】
このように、三個以上の筐体８１を並列に設置する場合、同一の中間スタンド５２を複数用いるので、部品の共通化が可能となる。更に、設置すべき筐体８１の数が変わった場合でも、中間スタンド５２の使用数を調整するだけで即座に対応できる。
【００５０】
また、このスタンド５は、外側スタンド５１と中間スタンド５２の間に形成される収容部６９に、筐体８１の底部を収容するだけであり、スタンド５の各部を筐体８１に対して移動させる必要がないので、構成を簡略化できる。
【００５１】
なお、上記実施形態では、同一形状で同一大きさの筐体８１を複数設置する場合について説明したが、形状及び大きさが異なる複数の筐体を設置する場合にも本発明を適用できる。
【００５２】
また、上記実施形態では、本発明をファミリーネットワークサーバ８の設置用スタンドに適用した場合について説明したが、本発明はこれ以外のコンピュータの周辺機器や、各種の機器の設置用スタンドに適用できる。
【００５３】
また、本発明の複数筐体設置用スタンドは、以下の付記的事項を含むものである。
【００５４】
〔その他〕
本発明は、以下のように特定することができる。
（付記１）複数の筐体を並列に設置するスタンドであって、外側に配置される前記筐体を外側面側から保持する一対の外側スタンドと、前記一対の外側スタンド間に配置され互いに隣接する前記筐体の両方を対向面側から保持する中間スタンドと、前記各スタンドを着脱自在に接続する接続手段と、を備えた複数筐体設置用スタンド。
（付記２）前記中間スタンドの前記筐体を保持する部分の間隔を、互いに隣接する前記筐体同士が放熱に必要な隙間以上の間隔で設置される間隔とした付記１に記載の複数筐体設置用スタンド。
（付記３）前記各スタンドの前記筐体を保持する部分は、前記筐体の底部の一部分を収容可能な凹状に形成されている付記１又は２に記載の複数筐体設置用スタンド。
（付記４）前記筐体は略直方体である付記１から３の何れかに記載の複数筐体設置用スタンド。
（付記５）前記複数の筐体は略同一の大きさである付記１から４の何れかに記載の複数筐体設置用スタンド。
（付記６）前記筐体はコンピュータの周辺機器である付記１から５の何れかに記載の複数筐体設置用スタンド。
（付記７）前記筐体はファミリーネットワークサーバ（ホームサーバ）である付記１から６の何れかに記載の複数筐体設置用スタンド。
【００５５】
【発明の効果】
本発明では、複数の筐体を一体的に保持するので、全体の幅が筐体の高さに対して比較的大きくなる。そのため、筐体の間隔を小さくしても筐体の転倒を防止できる。
【００５６】
従って、筐体の間隔をできるだけ小さくしてスタンドの全体の幅を小さくできるので、複数の筐体を設置するのに必要なスペースを小さくでき、省スペース化が可能になる。
【００５７】
また、中間スタンドの筐体を保持する部分の間隔を、互いに隣接する筐体同士の放熱に必要な隙間以上にした場合には、筐体同士が放熱を妨害するのを防止できる。
【図面の簡単な説明】
【図１】本発明の一実施形態を示す斜視図。
【図２】本発明の一実施形態を示す分解斜視図。
【図３】本発明の一実施形態を示す正面図。
【図４】本発明の一実施形態を示す底面図。
【図５】本発明の接続手段を示す断面図。
【図６】本発明の作用を示す正面図。
【図７】本発明の別の実施形態を示す正面図。
【図８】従来例を示す斜視図。
【図９】従来例の作用を示す正面図。
【図１０】従来の別の例を示す底面図。
【図１１】従来例のスタンドを外した状態を示す正面図。
【符号の説明】
５　スタンド
８　ファミリーネットワークサーバ（ホームサーバ）
５１　外側スタンド
５２　中間スタンド
５３　接続手段
５５　凹部
５５ａ　凹部の底面
５６　脚部
５９　接続面
６０　係止片
６１　係止孔
６１ａ　係止部
６２　突起
６３　ガイド孔
６６　仕切部
６７　ゴム板
６８　突起
６９　収容部
Ｂ　スタンドの全体の幅
ｂ　筐体の幅
ｗ　仕切部の幅（筐体の間隔）
【図１】
2004126706.tif 000003
【図２】
2004126706.tif 000004
【図３】
2004126706.tif 000005
【図４】
2004126706.tif 000006
【図５】
2004126706.tif 000007
【図６】
2004126706.tif 000008
【図７】
2004126706.tif 000009
【図８】
2004126706.tif 000010
【図９】
2004126706.tif 000011
【図１０】
2004126706.tif 000012
【図１１】
2004126706.tif 000013